(57)【要約】【課題】アーム型、及びポール型の支柱に共用可能な支柱取付具を提供する。【解決手段】道路灯１の器具本体１０に設けられ、支柱４、５の先端部３に器具本体１０を支持する支柱取付具としてのクランプユニット２６において、前記支柱４，５の先端部３に挿入される筒状の筒部２９と、前記筒部２９の外周面２９Ｃから板状に延出し、板面を前記器具本体１０に面接触させた状態で結合される鍔部３０と、を有し、前記鍔部３０は、前記板面３６Ａが前記筒部２９の長軸Ｍの方向に沿ったアーム型支柱用鍔部３６と、前記板面３５Ａが筒部２９の長軸Ｍの方向に略直交するポール型支柱用鍔部３５と、を備える構成とした。【選択図】図７
2014067586.tif 000002
【特許請求の範囲】
【請求項１】
照明器具の器具本体に設けられ、支柱の先端部に前記器具本体を支持する支柱取付具において、
前記支柱の先端部に挿入される筒状の筒部と、
前記筒部の外周面から板状に延出し、板面を前記器具本体に面接触させた状態で結合される鍔部と、を有し、
前記鍔部は、前記板面が前記筒部の長軸方向に沿ったアーム型支柱用鍔部と、前記板面が前記筒部の長軸方向に略直交するポール型支柱用鍔部と、を備える
ことを特徴とする支柱取付具。
【請求項２】
前記ポール型支柱用鍔部の板厚を分けるように前記長軸方向に２分割したことを特徴とする請求項１に記載の支柱取付具。
【請求項３】
前記アーム型支柱用鍔部が前記長軸方向で段差を有し、上段側の板面の下面と下段側の板面の上面とを器具本体に面接触させて結合されることを特徴とする請求項１又は２に記載の支柱取付具。
【請求項４】
請求項１乃至３のいずれかに記載の支柱取付具を備えたことを特徴とする照明器具。
【発明の詳細な説明】
【技術分野】
【０００１】
本発明は、照明器具の器具本体を支柱に支持する支柱取付具、及び照明器具に関する。
【背景技術】
【０００２】
従来、道路の路肩等に立設した支柱の先端に器具本体を支持し、路面を照明する道路灯が知られている。また、支柱には、先端部が垂直に延びるポール型と、水平に延びるアーム型が知られている。そして、器具本体の一端近傍の外側面と下面の両方に支柱の先端部が挿入される挿入孔を設け、アーム型の支柱に取り付ける場合には一端近傍の外側面の挿入孔を使用し、ポール型の支柱に取り付ける場合には一端近傍の下面の挿入孔を使用することで、両タイプの支柱に取付可能にした道路灯が知られている（例えば、特許文献１参照）。
【先行技術文献】
【特許文献】
【０００３】
【特許文献１】特許第４０６１４３８号公報
【発明の概要】
【発明が解決しようとする課題】
【０００４】
道路灯は、支柱に器具本体を支持する支柱取付具が内設される。この支柱取付具には、アーム型用、及びポール型用とが予め用意されており、道路灯の生産時に、支柱のタイプに応じた支柱取付具が器具本体に組み込まれている。
すなわち、支柱のタイプごとに道路灯が生産されており、コストが高く生産管理が煩雑である、という問題がある。
【０００５】
本発明は、上述した事情に鑑みてなされたものであり、アーム型、及びポール型の支柱に共用可能な支柱取付具、及び照明器具を提供することを目的とする。
【課題を解決するための手段】
【０００６】
上記目的を達成するために、本発明は、照明器具の器具本体に設けられ、支柱の先端部に前記器具本体を支持する支柱取付具において、前記支柱の先端部に挿入される筒状の筒部と、前記筒部の外周面から板状に延出し、板面を前記器具本体に面接触させた状態で結合される鍔部と、を有し、前記鍔部は、前記板面が前記筒部の長軸方向に沿ったアーム型支柱用鍔部と、前記板面が前記筒部の長軸方向に略直交するポール型支柱用鍔部と、を備えることを特徴とする。
【０００７】
また本発明は、上記支柱取付具において、前記ポール型支柱用鍔部の板厚を分けるように前記長軸方向に２分割したことを特徴とする。
【０００８】
また本発明は、上記支柱取付具において、前記アーム型支柱用鍔部が前記長軸方向で段差を有し、上段側の板面の下面と下段側の板面の上面とを器具本体に面接触させて結合されることを特徴とする。
【０００９】
また上記目的を達成するために、本発明は、上記のいずれかに記載の支柱取付具を備えたことを特徴とする照明器具を提供する。
【発明の効果】
【００１０】
本発明によれば、前記支柱の先端部に挿入される筒状の筒部の外周面から板状に延出し、板面を器具本体に面接触させた状態で結合される鍔部に、板面が前記筒部の長軸方向に沿ったアーム型支柱用鍔部と、筒部の長軸方向に略直交するポール型支柱用鍔部とを設ける構成とした。この構成によれば、アーム型支柱用鍔部とポール型支柱用鍔部との間で器具本体に面接触させる鍔部を代えることで、筒部の長軸方向を９０度変えることができる。したがって、ポール型の支柱の先端を受けるべく筒部を立てた状態で器具本体に設けたり、アーム型の支柱の先端を受けるべく筒部を横にした状態で器具本体に設けたりすることができ、これらポール型、及びアーム型の支柱で共用可能となる。
【図面の簡単な説明】
【００１１】
【図１】本発明の実施形態に係る道路灯を下方からみた斜視図である。
【図２】道路灯の底面図である。
【図３】ポール型の支柱用にクランプユニットが組み付けられたベースケース体の斜視図である。
【図４】クランプユニットのベースケース体への組付構造を示す図であり、（Ａ）は平面図、（Ｂ）は側面図、（Ｃ）は背面図である。
【図５】ベースケース体の構成を示す斜視図である。
【図６】アーム型の支柱用にクランプユニットが組み付けられたベースケース体の斜視図である。
【図７】クランプユニットの構成を示す斜視図である。
【発明を実施するための形態】
【００１２】
以下、図面を参照して本発明の実施形態について説明する。本実施形態では、照明器具の一例として道路灯を説明する。
図１は本実施形態に係る道路灯１を下方からみた斜視図であり、図２は道路灯１の底面図である。
この道路灯１は、図１に示すように、ポール型（ストレート型とも呼ばれる）の支柱４、又は、アーム型の支柱５の先端部３に器具本体１０を支持したものである。支柱４、５は路肩等の道路脇の地面に立設された柱であり、ポール型の支柱４は、その先端部３が鉛直方向に真っ直ぐに延び、アーム型の支柱５は、柱の途中から曲がって先端部３が水平方向に水平、或いは水平方向に対して所定角度傾いて延びている。この道路灯１の器具本体１０は、支柱４、５の両方に取り付け可能に構成されている。
【００１３】
器具本体１０は、アルミダイカスト等で形成され、一端１１Ａから他端１１Ｂにかけて長い平面視略矩形の箱型を成し、その一端１１Ａの近傍で上記支柱４、５の先端部３に支持され、他端１１Ｂを道路側（車道側）に向けて設置される。器具本体１０の底面１０Ａには、一端１１Ａの側に照射開口１２が形成され、この照射開口１２が平板状の透明なグローブガラス（図示せず）で覆われている。
【００１４】
器具本体１０は、背面（すなわち一端１１Ａ近傍の外側面）にアーム用挿入孔１５が設けられ、また一端１１Ａ近傍の底面１０Ａにポール用挿入孔１６が設けられている。ポール型の支柱４に器具本体１０を支持する場合には、当該支柱４の先端部３が器具本体１０の底面１０Ａからポール用挿入孔１６に挿入され、またアーム型の支柱５に支持する場合には、当該支柱５の先端部３が器具本体１０の背面からアーム用挿入孔１５に挿入される。
【００１５】
器具本体１０は、ベースケース体２０と、下カバー体２１とを備え、これらが器具本体１０の略箱型のケース体を構成する。ベースケース体２０は器具本体１０の天面、及び四方の側面を構成する底面開放型のケースであり、下カバー体２１は、このベースケース体２０の底面を覆うようにネジ止め固定されるカバー体である。下カバー体２１には、上述した照射開口１２、及び、ポール用挿入孔１６が形成され、照射開口１２を覆う上記グローブガラス（図示せず）が嵌め込まれている。
【００１６】
器具本体１０の中には、照射開口１２を臨む位置に、複数の光源ユニット２５が配設されており、また一端１１Ａの側であって下カバー体２１に覆われた位置にクランプユニット２６が内設されている。
光源ユニット２５は、ＬＥＤ等の発光素子を光源に備えたユニット体であり、配光制御のための反射鏡１８、及びレンズ体１９を備えている。この光源ユニット２５では反射鏡１８、及びレンズ体１９により、道路灯１の左右方向に長い横長の配光が形成されており、車道の走行方向に沿った広い範囲が照明される。
器具本体１０のベースケース体２０、及び下カバー体２１は、屋外使用に十分に耐え得る耐食性があり、なおかつ、熱伝導性が高い材料（例えばアルミニウムやアルミニウム合金）を用いて形成されている。高熱伝導性の材料を用いることで、光源ユニット２５の発熱がケース体（本実施形態では、特にベースケース体２０）から放熱され、光源ユニット２５の光源温度が発光動作に適切な温度に維持される。
【００１７】
図３はクランプユニット２６が組み付けられたベースケース体２０の斜視図である。また図４は、クランプユニット２６のベースケース体２０への組付構造を示す図であり、図４（Ａ）は平面図、図４（Ｂ）は側面図、図４（Ｃ）は背面図である。図５はベースケース体２０の構成を示す斜視図である。なお、これらの図では、ポール型の支柱４に取り付けられる道路灯１を、ベースケース体２０から後述する蓋体を取り外した状態で図示している。
ベースケース体２０は、上記光源ユニット２５を収める底面開口の厚みが薄い箱型の光源収容部２２を有し、図５に示すように、光源収容部２２の背面２１Ａにはクランプユニット２６を固定するクランプユニット固定部５０が設けられている。ベースケース体２０は、光源収容部２２の背面２１Ａの側に、クランプユニット固定部５０を覆う上開きの蓋体（図示略）を備えている。
【００１８】
クランプユニット２６は、支柱４、５の先端部３に取り付けられてベースケース体２０（すなわち器具本体１０）を支柱４、５に支持する支柱取付具であり、図３、図４に示すように、支柱４、５の先端部３に挿入される筒状の筒部２９と、この筒部２９の外周面２９Ｃに設けられた鍔部３０とを備えている。
筒部２９の外周面２９Ｃには、周方向からダブルナットを挿入する複数の挿入孔６１、６２が設けられており、各挿入孔６１、６２に挿入されたダブルナットにより、筒部２９が支柱４の先端部３に締め付け固定される。鍔部３０は、上記クランプユニット固定部５０にボルト等で固定される固定部である。これら筒部２９、及び鍔部３０は一体成形されており、両者の連結部分の強度が高められている。
なお、図示を省略するが、支柱４、５は、内部に電気配線を通す中空筒状を成しており、電気配線が支柱４、５の先端部３、及びクランプユニット２６の筒部２９を通じて器具本体１０の中に引き込まれる。筒部２９から引き出された電気配線は、ベースケース体２０の背面２１Ａに設けた配線孔５１を通じてベースケース体２０の中に通され、その内部の光源ユニット２５に電気的に接続される。
【００１９】
先端部３が鉛直方向Ｋに延びるポール型の支柱４に道路灯１が取り付けられる場合、図３に示すように、クランプユニット２６の筒部２９は、ベースケース体２０に対して中心軸（長軸）Ｍが上下に延びる姿勢で固定されている。
一方、先端部３が水平方向Ｌに延びるアーム型の支柱５に道路灯１が取り付けられる場合、図６に示すように、クランプユニット２６の筒部２９は、ベースケース体２０に対して中心軸（長軸）Ｍが前後に（一端１１Ａから他端１１Ｂに）延びる姿勢で固定されている。
このように、ポール型の支柱４の場合には、筒部２９を上下に（縦に）立てた姿勢で設け、アーム型の支柱５の場合には、筒部２９を前後に横にした姿勢で設けることで、いずれの支柱４、５に道路灯１を取り付けた場合でも、ベースケース体２０（すなわち器具本体１０）が水平方向Ｌに延びた姿勢で支柱４、５に支持されることとなる。
従来の道路灯では、ポール型用に縦配置するクランプユニットと、アーム型用に横配置するクランプユニットとが別々に用意されていたが、本実施形態のクランプユニット２６、及び道路灯１は、縦配置、及び横配置のいずれも可能に構成されている。
【００２０】
図７は、クランプユニット２６の構成を示す斜視図である。
同図に示すように、クランプユニット２６は、筒部２９の外周面２９Ｃから延出した板状の上述した鍔部３０を備えている。この鍔部３０は、クランプユニット固定部５０にボルト締めされる部材である。具体的には、前掲図５に示すように、クランプユニット固定部５０は、ベースケース体２０の背面２１Ａから後方（一端１１Ａの側）に略水平に延びる左右一対のユニット固定柱５２を備えている。ユニット固定柱５２の上面５２Ａ、及び下面５２Ｂは、それぞれ平面状を成し、鍔部３０の板面を面で受けた状態でボルト等で互いに締結される。
【００２１】
また、このクランプユニット２６の鍔部３０は、図７に示すように、板状のポール型支柱用鍔部３５と、板状のアーム型支柱用鍔部３６とを備えている。ポール型支柱用鍔部３５は、ポール型の支柱４に取り付けられる場合にユニット固定柱５２への固定に使用され、またアーム型支柱用鍔部３６は、アーム型の支柱５に取り付けられる場合にユニット固定柱５２への固定に使用される。
具体的には、ポール型支柱用鍔部３５は、筒部２９の長軸Ｍの直交方向Ｍａに、表裏（上下）面である板面３５Ａが略平行になるように設けられている。したがって、ポール型支柱用鍔部３５の板面３５Ａとユニット固定柱５２の上面５２Ａ、又は下面５２Ｂ（図示例では上面５２Ａ）との両者の面を重ね合わせて締結することで、筒部２９が上下に立った状態でクランプユニット固定部５０に固定されることとなり、ポール型用のクランプユニット２６として使用可能になる。
【００２２】
一方、アーム型支柱用鍔部３６は、筒部２９の長軸Ｍの方向に対し板面３６Ａが略平行になるように設けられている。したがって、アーム型支柱用鍔部３６の板面３６Ａとユニット固定柱５２の上面５２Ａ、又は下面５２Ｂとの両者の面を重ね合わせて締結することで、筒部２９の長軸Ｍが一端１１Ａから他端１１Ｂに略平行に横になった状態でクランプユニット固定部５０に固定されることとなり、アーム型用のクランプユニット２６として使用可能になる。
【００２３】
本実施形態では、ポール型支柱用鍔部３５の板面３５Ａを、筒部２９の長軸Ｍの直交方向Ｍａと完全に平行とするのではなく、器具本体１０の水平面に対する傾斜角度に応じた角度だけ直交方向Ｍａから傾斜させている。同様に、アーム型支柱用鍔部３６の板面３６Ａは、筒部２９の長軸Ｍの方向に対して板面３６Ａが上記傾斜角度に応じた角度だけ傾斜させている。
【００２４】
ここで、これらポール型支柱用鍔部３５とアーム型支柱用鍔部３６とは、図７に示すように、それぞれの板面３５Ａ、３６Ｂが互いに略直交するように筒部２９に設けられため、クランプユニット２６をアルミダイカスト等で成型し難い。
そこで、本実施形態では、図７に示すように、クランプユニット２６をポール型支柱用鍔部３５の板厚の中間地点で上下に２分割した形状のクランプユニット片２６Ａを構成し、上下一対のクランプユニット片２６Ａを連結してクランプユニット２６を組み立てることとしている。
クランプユニット片２６Ａにあっては、ポール型支柱用鍔部３５の板厚を真ん中で分けるように割った板状のポール型支柱用鍔片３７の一方の面に、上記筒部２９、及びアーム型支柱用鍔部３６を上下に２分割した部位に相当する筒部片３９、及びアーム型支柱用鍔片３８が立設した形状となり、成型が容易となる。
【００２５】
このクランプユニット片２６Ａにあっては、筒部片３９の左右両側のアーム型支柱用鍔片３８が、図７に示すように、筒部片３９（筒部２９）の中心Ｏを通る長軸Ｍを間に挟む位置ではなく、距離αだけずらした位置に配置されている。
クランプユニット２６の組立時には、上下一対のクランプユニット片２６Ａは、各々のアーム型支柱用鍔片３８が直線状に上下に並ぶ姿勢ではなく、図７に示すように、各々のアーム型支柱用鍔片３８が長軸Ｍを間に挟むようにずれる姿勢で連結される。これにより、クランプユニット２６を側面視したとき、アーム型支柱用鍔部３６は長軸Ｍの方向に１段の階段状に段差を有した形状となる。すなわちアーム型支柱用鍔部３６のアーム型支柱用鍔片３８が段違いに並ぶことから、かかるアーム型支柱用鍔部３６を固定に使用する際には、図６に示すように、下段側（一端１１Ａの側）のアーム型支柱用鍔片３８の板面のうち上面がユニット固定柱５２の下面５２Ｂに当接し、上段側（他端１１Ｂの側）のアーム型支柱用鍔片３８の板面のうち上面がユニット固定柱５２の上面５２Ａに当接することとなる。
これにより、アーム型支柱用鍔部３６には、一端１１Ａの側と他端１１Ｂの側とで上下反対向きに荷重が加わることから、鉛直方向Ｋの荷重に対する強度が高められ、器具本体１０の耐荷重性能が高められる。
【００２６】
以上説明したように、本実施形態のクランプユニット２６によれば、支柱４、５の先端部３に挿入される筒状の筒部２９の外周面２９Ｃから板状に延出し、板面を器具本体１０に面接触させた状態で結合される鍔部３０に、板面３６Ａが筒部２９の長軸Ｍの方向に沿ったアーム型支柱用鍔部３６と、板面３５Ａが筒部２９の長軸Ｍの方向に略直交するポール型支柱用鍔部３５とを設ける構成とした。
この構成によれば、アーム型支柱用鍔部３６とポール型支柱用鍔部３５との間で器具本体１０に面接触させる鍔部３０を代えることで、筒部２９の長軸Ｍの方向を９０度変えることができる。したがって、ポール型の支柱４の先端部３を受けるべく筒部２９を立てた状態で器具本体１０に設けたり、アーム型の支柱５の先端部３を受けるべく筒部２９を横にした状態で器具本体１０に設けたりすることができ、これらポール型、及びアーム型の支柱で共用可能となる。
【００２７】
また本実施形態によれば、クランプユニット２６がポール型支柱用鍔部３５の板厚を分けるように筒部２９の長軸Ｍの方向に２分割したことを特徴とする。
これにより、ポール型支柱用鍔部３５が分けられて成る板状のポール型支柱用鍔片３７の面に、上記筒部２９、及びアーム型支柱用鍔部３６を分割した筒部片３９、及びアーム型支柱用鍔片３８が立設した形状とるため、成型が容易となる。
【００２８】
また本実施形態によれば、アーム型支柱用鍔部３６が長軸Ｍの方向で段差を有するように、アーム型支柱用鍔片３８を段違いに並べ、上段側のアーム型支柱用鍔片３８の板面の下面と下段側のアーム型支柱用鍔片３８の板面の上面とを器具本体１０に面接触させて締結した。これにより、アーム型支柱用鍔部３６には、長軸Ｍの一端側と他端側とで上下反対向きに荷重が加わることから、鉛直方向Ｋの荷重に対する強度が高められ、器具本体１０の耐荷重性能が高められる。
【００２９】
なお、上述した実施形態は、あくまでも本発明の一態様を例示したものであって、本発明の趣旨を逸脱しない範囲で任意に変形、及び応用が可能である。
例えば、本発明は道路灯に限らず、支柱の先端部に支持される器具本体を支持する照明器具であれば、例えば街灯等の任意の照明器具に適用可能である。
【符号の説明】
【００３０】
１  道路灯（照明器具）
３  先端部
４  ポール型の支柱
５  アーム型の支柱
１０  器具本体（灯具本体）
１５  アーム用挿入孔
１６  ポール用挿入孔
２６  クランプユニット（支柱取付具）
２６Ａ  クランプユニット片
２９  筒部
２９Ｃ  外周面
３０  鍔部
３５  ポール型支柱用鍔部
３６  アーム型支柱用鍔部
３５Ａ、３６Ａ  板面
３７  ポール型支柱用鍔片
３８  アーム型支柱用鍔片
３９  筒部片
５０  クランプユニット固定部
５２  ユニット固定柱
Ｋ  鉛直方向
Ｌ  水平方向
Ｍ  長軸
Ｍａ  直交方向
【図１】
2014067586.tif 000003
【図２】
2014067586.tif 000004
【図３】
2014067586.tif 000005
【図４】
2014067586.tif 000006
【図５】
2014067586.tif 000007
【図６】
2014067586.tif 000008
【図７】
2014067586.tif 000009